(57)【要約】【課題】ディープウェル孔の穿孔手間の軽減を図りながら、同じ位置に設置する支持杭の品質を維持し易くする。【解決手段】杭孔５を穿孔し、その杭孔５を通して孔底に、杭孔５より小径のディープウェル孔１を穿孔し、そのディープウェル孔１内に、下端部に揚水ポンプ２を接続した揚水管３を挿入してディープウェルＷを形成すると共に、杭孔５内に、支持杭形成用材Ｋを位置させてディープウェル孔１より大径の支持杭Ｐを形成する。【選択図】図２
2009052202.tif 000002
【特許請求の範囲】
【請求項１】
杭孔を穿孔し、その杭孔を通して孔底に、前記杭孔より小径のディープウェル孔を穿孔し、そのディープウェル孔内に、下端部に揚水ポンプを接続した揚水管を挿入してディープウェルを形成すると共に、前記杭孔内に、支持杭形成用材を位置させて前記ディープウェル孔より大径の支持杭を形成するディープウェル設置方法。
【請求項２】
前記支持杭に、軸部分の外径より大径に形成した拡径部を設けておき、前記拡径部による地盤抵抗によって地盤支持力の増加を図る請求項１に記載のディープウェル設置方法。
【請求項３】
前記支持杭は、場所打ちコンクリート杭で構成してあり、前記揚水管を、コンクリート中に一体的に埋設する請求項１又は２に記載のディープウェル設置方法。
【請求項４】
前記支持杭の断面内に、前記揚水管及び揚水ポンプを挿抜自在に隔離しておく隔離筒を設置しておく請求項１又は２に記載のディープウェル設置方法。
【発明の詳細な説明】
【技術分野】
【０００１】
本発明は、穿孔したディープウェル孔内に、下端部に揚水ポンプを接続した揚水管を挿入してディープウェルを形成するディープウェル設置方法に関する。
【背景技術】
【０００２】
従来、この種のディープウェル設置方法としては、地上から予定深度までディープウェル孔を穿孔し、そのディープウェル孔内にストレーナ管を挿入すると共に、外周の隙間に砂利等のフィルタ材を充填し、前記ストレーナ管内に、揚水管と揚水ポンプを挿入することで形成していた（例えば、特許文献１参照）。
また、上述のディープウェル設置方法においては、地上から予定深度までの全深度にわたる穿孔を伴うため、穿孔手間がかかる問題があり、この手間を軽減できるものとして、同一現場で施工される支持杭の穿孔と、ディープウェルの穿孔とを兼用するものがあった（例えば、特許文献２参照）。これは、支持杭そのものを筒体で構成し、その筒体の周面に多数の通水孔を形成することでストレーナ機能を付与し、支持杭の側方から筒体内に浸入した水を、筒体内に設置された揚水ポンプで揚水するように考えられたものであった。
【０００３】
【特許文献１】特開昭６４−０１０８１２号公報（図１）
【特許文献２】特開２００３−０９００３２号公報（図１、図２）
【発明の開示】
【発明が解決しようとする課題】
【０００４】
上述した第１番目の従来のディープウェル設置方法によれば、各ディープウェル毎に、全深度にわたる穿孔を省略することが不可能で、それだけ穿孔手間が掛かる問題があった。
また、第２番目の従来のディープウェル設置方法によれば、支持杭用の地盤の穿孔と、ディープウェル用の地盤の穿孔とを兼用化することで、穿孔手間の軽減を図ることができるものの、支持杭を構成している筒体は、ディープウェル用の通水孔を多数設ける関係上、断面欠損が大きくなって低耐力となり易い。更には、長期間にわたって支持杭は地下水と広い面積（筒体の表裏面、及び、通水孔の内周面）にわたって接触するから、腐蝕やそれに伴う品質の劣化等をまねき易い危険性があり、十分な支持力を長期に亘って確保する上での問題点がある。
【０００５】
従って、本発明の目的は、上記問題点を解消し、ディープウェル孔の穿孔手間の軽減を図りながら、同じ位置に設置する支持杭の品質を維持し易いディープウェル設置方法を提供するところにある。
【課題を解決するための手段】
【０００６】
本発明の第１の特徴構成は、杭孔を穿孔し、その杭孔を通して孔底に、前記杭孔より小径のディープウェル孔を穿孔し、そのディープウェル孔内に、下端部に揚水ポンプを接続した揚水管を挿入してディープウェルを形成すると共に、前記杭孔内に、支持杭形成用材を位置させて前記ディープウェル孔より大径の支持杭を形成するところにある。
【０００７】
本発明の第１の特徴構成によれば、杭孔を穿孔し、その杭孔を通して孔底に、前記杭孔より小径のディープウェル孔を穿孔するから、先に杭孔として穿孔されている杭孔長さ分は、ディープウェル孔の穿孔長さから差し引くことができ、穿孔手間の軽減や、工期短縮、及び、施工コストの低減を叶えることができる。
そして、ディープウェル孔内に、下端部に揚水ポンプを接続した揚水管を挿入してディープウェルを形成すると共に、前記杭孔内に、支持杭形成用材を位置させて前記ディープウェル孔より大径の支持杭を形成するから、支持杭に、従来のようなストレーナ機能を仕組む必要が無く、通常の強度を備えた杭を、劣化の少ない状態に形成することが可能となる。更には、支持杭は、ディープウェル孔より大径に形成されるから、杭下端面に、地盤に直接接当できる接当面を形成することができ、支持杭としての支持反力を確保することが可能となる。以上の結果、支持杭の良好な品質を、長期に亘って維持することが可能となる。
また、ディープウェルに関しては、杭の下方地盤からの揚水を叶えることができると共に、揚水ポンプの上に接続されている揚水管の大半部分は、その周りを杭によって囲まれていることで保護効果が期待でき、長期間にわたってディープウェルを維持することが可能となる。
【０００８】
本発明の第２の特徴構成は、前記支持杭に、軸部分の外径より大径に形成した拡径部を設けておき、前記拡径部による地盤抵抗によって地盤支持力の増加を図るところにある。
【０００９】
本発明の第２の特徴構成によれば、本発明の第１の特徴構成による上述の作用効果を叶えることができるのに加えて、前記支持杭に、軸部分の外径より大径に形成した拡径部を設けておくことで、前記拡径部による地盤抵抗の増加を図り、地盤支持力の増強を叶えることができる。
また、前記拡径部は、杭下端部に設けて先端支持力の大きな拡底杭としたり、杭中間部に設けて支圧力の大きな中間拡径杭としたり、それらの両者を組み合わせたり、適宜、実施することができ、何れの場合に関しても、杭支持力の向上に努めることができる。
【００１０】
本発明の第３の特徴構成は、前記支持杭は、場所打ちコンクリート杭で構成してあり、前記揚水管を、コンクリート中に一体的に埋設するところにある。
【００１１】
本発明の第３の特徴構成によれば、本発明の第１又は２の特徴構成による上述の作用効果を叶えることができるのに加えて、揚水管の外周部分は、場所打ちコンクリート杭によって一体的に覆われるから、支持杭による揚水管の保護効果を、より一層確実なものにすることができる。
その結果、ディープウェルの耐久性の向上を図ることが可能となる。
【００１２】
本発明の第４の特徴構成は、前記支持杭の断面内に、前記揚水管及び揚水ポンプを挿抜自在に隔離しておく隔離筒を設置しておくところにある。
【００１３】
本発明の第４の特徴構成によれば、本発明の第１又は２の特徴構成による上述の作用効果を叶えることができるのに加えて、ディープウェルの主目的が、工事中の仮設目的であるような場合、支持杭を残したままの状態でも、隔離筒内の前記揚水管・揚水ポンプ等を、引き抜いて、簡単且つ迅速に撤去することができ、ディープウェルの設置撤去作業の自由性の向上と、撤去作業の迅速性・経済性の向上とを叶えることができる。
【発明を実施するための最良の形態】
【００１４】
以下に本発明の実施の形態を図面に基づいて説明する。
【００１５】
〔第１実施形態〕
図２は、本発明のディープウェル設置方法によって設置されたディープウェルＷの第１実施形態を示している。
【００１６】
前記ディープウェルＷは、場所打ちコンクリート杭で構成された支持杭Ｐの下端側に、同一軸芯となる状態に形成してある。
そして、ディープウェルＷは、支持杭Ｐの下端側に穿孔されているディープウェル孔１内に設置されている揚水ポンプ２と、揚水ポンプ２に下端部を接続された揚水管３とを備えて構成されている。
尚、揚水ポンプ２の周りには、フィルタ材４（例えば、砂利）が充填してあり、周辺地盤の土粒子でディープウェル孔１内が目詰まりを起こすのを防止し、効率よく集水・揚水できるように構成されている。
また、揚水管３は、揚水ポンプ２から前記支持杭Ｐ内を貫通して地上の排水設備（不図示）に接続されている。
本実施形態においては、揚水管３は、支持杭Ｐのコンクリート中に埋設された状態に設置されている。
【００１７】
前記支持杭Ｐは、杭孔５を穿孔し、その中に、支持杭形成用材Ｋを位置させて一体化を図ることで構成されている。
前記支持杭形成用材Ｋは、当該実施形態のように場所打ちコンクリート杭の場合は、篭状に組まれた鉄筋６や、コンクリート７がそれに相当する。
また、支持杭Ｐの下端部には、図に示すように、軸部分の外径より大径に形成した拡径部８が設けられている。
【００１８】
次に、当該ディープウェルＷの設置方法について説明する。
［１］  地中に杭孔５を穿孔する。その際、下端部の穿孔径は、前記拡径部８を形成するために他の軸部より大径に穿孔しておく（図１（イ）参照）。
［２］  杭孔５を通して孔底に、前記杭孔５より小径のディープウェル孔１を穿孔し、そのディープウェル孔１内に、下端部に揚水ポンプ２を接続した揚水管３を挿入してディープウェルＷを形成する（図１（ロ）参照）。ディープウェル孔１内には、フィルタ材４を充填する。
［３］  揚水管３を杭孔５内に保持した状態で鉄筋６を杭孔５内の所定位置に配置する（図２（ハ）参照）。
［４］  トレミー管等を使用して杭孔５内にコンクリート７を打設して揚水管３や鉄筋６と一体の支持杭Ｐを形成する（図２（ニ）参照）。
【００１９】
本実施形態のディープウェル設置方法によれば、杭孔とディープウェル孔との兼用化により、穿孔手間の軽減や、工期短縮、及び、施工コストの低減を叶えることができる。
そして、ディープウェルＷは、支持杭Ｐによってその外周が保護されるから、長期間にわたってディープウェルを維持することが可能となる。
また、支持杭Ｐは、ディープウェルＷより大径に形成された拡底杭で構成されるから、支持杭の良好な品質を、長期に亘って維持することが可能となる。
【００２０】
〔第２実施形態〕
図３は、本発明のディープウェル設置方法によって設置されたディープウェルＷの第２実施形態を示している。尚、前記第１実施形態と重複する構成に関しては、その説明を割愛し、相異している構成を主に説明する。
【００２１】
支持杭Ｐは、プレストレストコンクリート杭で構成してある。
従って、支持杭Ｐは、円筒形状の杭体（隔離筒に相当）９と、その外周部を埋めるソイルセメント１０との支持杭形成用材Ｋで構成されている。
そして、杭体９の中空部には、前記揚水管３が配置されており、この揚水管３、及び、揚水ポンプ２は、挿抜自在に設けられている。
また、ソイルセメント１０の下端部は、他の軸部の外径寸法より大径に形成してあり、前記拡径部８を構成している。
【００２２】
次に、当該ディープウェルＷの設置方法について説明する。
［１］  地中に杭孔５を穿孔する。その際、下端部の穿孔径は、前記拡径部８を形成するために他の軸部より大径に穿孔しておく。
［２］  杭孔５内に杭体９を挿入すると共に、外周部にソイルセメント１０の領域を形成する（図３（イ）参照）。
［３］  杭孔５を通して孔底に、前記杭孔５より小径のディープウェル孔１を穿孔し、そのディープウェル孔１内に、下端部に揚水ポンプ２を接続した揚水管３を挿入してディープウェルＷを形成する（図３（ロ）参照）。ディープウェル孔１内には、フィルタ材４を充填する。
【００２３】
本実施形態のディープウェル設置方法によれば、杭孔とディープウェル孔との兼用化により、穿孔手間の軽減や、工期短縮、及び、施工コストの低減を叶えることができる。
そして、ディープウェルＷは、支持杭Ｐによってその外周が保護されるから、長期間にわたってディープウェルを維持することが可能となる。
また、支持杭Ｐは、ディープウェルＷより大径に形成された拡底杭で構成されるから、支持杭の良好な品質を、長期に亘って維持することが可能となる。
更には、ディープウェルの撤去の際には、前記杭体９の内空部を通して、前記揚水管３や揚水ポンプ２を簡単に抜き取ることができ、迅速に撤去作業を行うことができる。
【００２４】
〔別実施形態〕
以下に他の実施の形態を説明する。
【００２５】
〈１〉  前記支持杭Ｐは、先の実施形態で説明した場所打ちコンクリート杭や、プレストレストコンクリート杭に限るものではなく、例えば、Ｈ形鋼等の形鋼を用いたものや、鋼管を用いたものであってもよく、それらを含めて支持杭と総称する。
〈２〉  前記隔離筒は、先の実施形態で説明した杭体に限るものではなく、例えば、杭体の内空部に、別の筒部材を位置させ、その筒部材によって隔離筒を構成するものであってもよい。また、場所打ちコンクリート杭に隔離筒を適用させることも可能である。
【００２６】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２７】
【図１】第１実施形態のディープウェル設置方法を示す説明図
【図２】第１実施形態のディープウェル設置方法を示す説明図
【図３】第２実施形態のディープウェル設置方法を示す説明図
【符号の説明】
【００２８】
１      ディープウェル孔
２      揚水ポンプ
３      揚水管
５      杭孔
８      拡径部
９      杭体（隔離筒に相当）
Ｋ      支持杭形成用材
Ｐ      支持杭
Ｗ      ディープウェル
【図１】
2009052202.tif 000003
【図２】
2009052202.tif 000004
【図３】
2009052202.tif 000005